(57)【特許請求の範囲】
【請求項１】
下部に空間を設けたコンクリートの貯水槽であって、2枚の成型用板材を複数の壁用板セパで梯子状に組固定した梯子状の壁用成型部材と、2枚の成型用板材を複数の床盤用板セパで梯子状に組固定した梯子状の床盤用成型部材を用いて、床付け地盤の上に、梯子状の前記床盤用成型部材と床盤接続板材を、交互に並置してビスを用いて連結固定して成る床盤躯体で基礎を成し、その上に前記壁用成型部材を組積して、梯子状の前記床盤用成型部材を連結固定して前記貯水槽の底盤を成し、前記壁用成型部材と前記床盤躯体で下部に空間を設けた貯水槽躯体を形成して、コンクリートを連続打設して、コンクリートの凝固で内外断熱のコンクリートの貯水槽を造ることを特徴とする下部に空間を設けたコンクリート貯水槽。
【請求項２】
屋上の床盤下に貯水槽を設けたコンクリートの車庫であって、2枚の成型用板材を複数の壁用板セパで梯子状に組固定した梯子状の壁用成型部材と、2枚の成型用板材を複数の床盤用板セパで梯子状に組固定した梯子状の床盤用成型部材を用いて、床付け地盤の上に、梯子状の前記床盤用成型部材と床盤接続板材を交互に並置してビスを用いて連結固定して成る床盤躯体で車庫の基礎を成し、その上に前記壁用成型部材を組積して、梯子状の前記床盤用成型部材を連結固定して前記貯水槽の底盤を成し、前記壁用成型部材と前記床盤躯体で車庫の屋上床盤下に前記貯水槽を設けた車庫躯体を形成して、コンクリートを連続打設して、屋上の床盤下に前記貯水槽を設けたコンクリートの車庫を造ることを特徴とする下部に空間を設けたコンクリート貯水槽。
【請求項３】
請求項2記載の屋上の床盤下に設ける前記貯水槽の上に、雨水集水ドレン付き点検マンホールを設け、前記貯水槽の下部に給水口を設けることを特徴とする下部に空間を設けたコンクリート貯水槽。
【発明の詳細な説明】
【技術分野】
【０００１】
本発明は、下部に空間を設けたコンクリート貯水槽に関する。
【背景技術】
【０００２】
従来の大型貯水槽は、コンクリート基礎の上に強固な架台を設けて、その架台の上にFRPやステンレス鋼板のパネルを大量のボルトで組固定していた、そのFRPやステンレス鋼板のパネルは、温暖地は単層で、寒冷地は断熱材入り複層パネルが用いられている。他方、車庫は大半が軽鉄プレハブで屋根の下に貯水槽を設置した例は皆無である。
【０００３】
上水道用の大型貯水槽は水漏れを点検するために、貯水槽の下に点検用の空間を設けることが義務付けられている。
【０００４】
上水道用の大型貯水槽は水漏れを点検するために、貯水槽の下に設けるコンクリート基礎は点検用の空間を設ける役割をしているのが現状である。
【先行技術文献】
【特許文献】
【０００５】
【特許文献１】特許第６６８８９６０号
【０００６】
【非特許文献１】無し
【発明の開示】
【発明が解決しようとする課題】
【０００７】
在来工法の貯水槽には次の課題があった。
〇FRPやステンレス鋼板で造る上水道用の大型貯水槽は複雑で組手間が嵩む課題。
〇FRPやステンレス鋼板で造る上水道用の大型貯水槽は基礎架台に設置費が嵩む課題。
〇FRPやステンレス鋼板で造る大型貯水槽のパネルは温暖・寒冷地で材質が異なる課題。
〇軽鉄プレハブの車庫は屋上の雨水を集水して雨水を貯める貯水槽が設置できない課題。
【０００８】
災害が多発する我が国に於いて、上水道用の大型貯水槽での水の蓄えは特に大切であるが、貯水槽の低価格化は建設業界の切望するところである。他方、洪水の抑制や雨水の有効活用、さらに、インフラ停止時でも水が使える備えとして、各住宅に大容量の雨水貯水槽が設置できる新しい貯水槽が求められている。
【０００９】
本発明は、上記の課題に鑑みて、上水道用の大型貯水槽の低価格化と全ての住宅に大型の雨水貯水槽を備えることで、インフラ停止時でも大容量の水が使える貯水槽を設けたコンクリートの車庫等、下部に空間を設けたコンクリート貯水槽を提供するものである。
【課題を解決するための手段】
【００１０】
この発明は、上記の課題を解決するためになされたもので、下部に空間を設けたコンクリートの貯水槽であって、2枚の成型用板材を複数の壁用板セパで梯子状に組固定した梯子状の壁用成型部材と、2枚の成型用板材を複数の床盤用板セパで梯子状に組固定した梯子状の床盤用成型部材を用いて、床付け地盤の上に、梯子状の前記床盤用成型部材と床盤接続板材を、交互に並置してビスを用いて連結固定して成る床盤躯体で基礎を成し、その上に前記壁用成型部材を組積して、梯子状の前記床盤用成型部材を連結固定して前記貯水槽の底盤を成し、前記壁用成型部材と前記床盤躯体で下部に空間を設けた貯水槽躯体を形成して、コンクリートを連続打設して、コンクリートの凝固で内外断熱のコンクリートの貯水槽を造ることを特徴とする下部に空間を設けたコンクリート貯水槽（請求項１）を提供する。
【００１１】
屋上の床盤下に貯水槽を設けたコンクリートの車庫であって、2枚の成型用板材を複数の壁用板セパで梯子状に組固定した梯子状の壁用成型部材と、2枚の成型用板材を複数の床盤用板セパで梯子状に組固定した梯子状の床盤用成型部材を用いて、床付け地盤の上に、梯子状の前記床盤用成型部材と床盤接続板材を交互に並置してビスを用いて連結固定して成る床盤躯体で車庫の基礎を成し、その上に前記壁用成型部材を組積して、梯子状の前記床盤用成型部材を連結固定して前記貯水槽の底盤を成し、前記壁用成型部材と前記床盤躯体で車庫の屋上床盤下に前記貯水槽を設けた車庫躯体を形成して、コンクリートを連続打設して、屋上の床盤下に前記貯水槽を設けたコンクリートの車庫を造ることを特徴とする下部に空間を設けたコンクリート貯水槽（請求項２）を提供する。
【００１２】
請求項2記載の屋上の床盤下に設ける前記貯水槽の上に、雨水集水ドレン付き点検マンホールを設け、前記貯水槽の下部に給水口を設けることを特徴とする下部に空間を設けたコンクリート貯水槽（請求項３）を提供する。
【発明の効果】
【００１３】
本発明の特筆すべき大きな効果を列挙する。
イ）コンクリート基礎や架台を必要としない。
ロ）形状や寸法が容易に設定できる自由設計。
ハ）鉄筋を必要としないコンクリートの貯水槽。
二）暖寒冷地対応可能なコンクリートの貯水槽。
ホ）雨水の貯水槽を備えたコンクリート車庫が容易に造れる。
へ）雨水の貯水槽を備えたコンクリート車庫は屋上が活用できる。
ト）成型部材が壁内外の断熱壁となる。
チ）自然環境に優しいコンクリート貯水槽が容易に造れる。
【００１４】
以上で説明したように、請求項１に係る発明によれば、下部に空間を設けたコンクリートの貯水槽であって、2枚の成型用板材を複数の壁用板セパで梯子状に組固定した梯子状の壁用成型部材と、2枚の成型用板材を複数の床盤用板セパで梯子状に組固定した梯子状の床盤用成型部材を用いて、床付け地盤の上に、梯子状の前記床盤用成型部材と床盤接続板材を、交互に並置してビスを用いて連結固定して成る床盤躯体で基礎を成し、その上に前記壁用成型部材を組積して、梯子状の前記床盤用成型部材を連結固定して前記貯水槽の底盤を成し、前記壁用成型部材と前記床盤躯体で下部に空間を設けた貯水槽躯体を形成して、コンクリートを連続打設して、コンクリートの凝固で内外断熱のコンクリートの貯水槽を造ることで、基礎架台は必要なく最良且つ低価格な貯水槽が迅速に造れる大きな効果が得られる。さらに、国産木材の大量消費が可能になり疲弊する山村林業を活性化できる大きな効果が得られる。
【００１５】
請求項２に係る発明によれば、屋上の床盤下に貯水槽を設けたコンクリートの車庫であって、2枚の成型用板材を複数の壁用板セパで梯子状に組固定した梯子状の壁用成型部材と、2枚の成型用板材を複数の床盤用板セパで梯子状に組固定した梯子状の床盤用成型部材を用いて、床付け地盤の上に、
梯子状の前記床盤用成型部材と床盤接続板材を交互に並置してビスを用いて連結固定して成る床盤躯体で車庫の基礎を成し、その上に前記壁用成型部材を組積して、梯子状の前記床盤用成型部材を連結固定して前記貯水槽の底盤を成し、前記壁用成型部材と前記床盤躯体で車庫の屋上床盤下に前記貯水槽を設けた車庫躯体を形成して、コンクリートを連続打設して、屋上の床盤下に前記貯水槽を設けたコンクリートの車庫を造ることで、車庫の屋上が多目的に使える効果や車庫の普及によって、洪水の抑制や雨水の有効活用に繋がる効果は多大である。
【００１６】
請求項３に係る発明によれば、請求項2記載の屋上の床盤下に設ける前記貯水槽の上に、雨水集水ドレン付き点検マンホールを設け、前記貯水槽の下部に給水口を設けることで、電力インフラ停止時でも大量の雨水が使える効果は大きい。
【発明を実施するための最良の形態】
【００１７】
以下に、本発明の実施形態は添付図面を参照しつつ詳細に説明する。
【００１８】
図１は、本発明に係る下部に空間を設けたコンクリート貯水槽の断面図。図２は、コンクリート貯水槽の下部平面図。図３は、コンクリート貯水槽の上部平面図。図4は、屋上の床盤下に貯水槽を設けたコンクリート車庫の断面図。図5は、屋上の床盤下に貯水槽を設けたコンクリート車庫の平面図。図6は、格子状の壁用成型部材の鳥観図。図7は、格子状の床盤用成型部材の鳥観図。図8は、床盤接続板の鳥観図。図9は、図1と図4のB部の拡大図。図10は、図1と図4のA部の拡大図。図11は、図1のC部の拡大図。図12は、図4のD部の拡大図である。
【００１９】
本発明の実施形態を図面で説明すれば、図１は、下部に空間を設けたコンクリートの貯水槽であって、2枚の成型用板材1を複数の壁用板セパ2で梯子状に組固定した、梯子状の壁用成型部材3と2枚の成型用板材1を複数の床盤用板セパ4で、梯子状に組固定した梯子状の床盤用成型部材5を用いて、床付け地盤6の上に、梯子状の床盤用成型部材5と床盤接続板材7を、交互に並置してビス8を用いて連結固定して成る床盤躯体9で基礎を成し、その上に壁用成型部材3を組積して、梯子状の床盤用成型部材5を連結固定して貯水槽10の底盤を成し、壁用成型部材3と床盤躯体9で下部に空間を設けた貯水槽躯体11を形成して、コンクリート12を連続打設して成る本発明に係るコンクリート貯水槽の断面図である。
【００２０】
図２は、コンクリート貯水槽の下部平面図である。
【００２１】
図３は、コンクリート貯水槽の上部平面図である。
【００２２】
図４は、屋上の床盤下に貯水槽を設けたコンクリートの車庫であって、2枚の成型用板材1を複数の壁用板セパ2で梯子状に組固定した、梯子状の壁用成型部材3と2枚の成型用板材1を複数の床盤用板セパ4で、梯子状に組固定した梯子状の床盤用成型部材5を用いて、床付け地盤6の上に、梯子状の床盤用成型部材5と床盤接続板材7を、交互に並置してビス8を用いて連結固定して成る床盤躯体9で車庫Aの基礎を成し、その上に壁用成型部材3を組積して、梯子状の床盤用成型部材5を連結固定して貯水槽10の底盤を成し、壁用成型部材3と床盤躯体9で、車庫の屋上床盤下に貯水槽10を設けた車庫躯体14を形成して、コンクリート12を連続打設して成る、屋上の床盤下に貯水槽を設けたコンクリート車庫の断面図である。
【００２３】
図5は、屋上の床盤下に貯水槽を設けたコンクリート車庫の平面図である。
【００２４】
図6は、格子状の壁用成型部材の鳥観図である。
【００２５】
図7は、格子状の床盤用成型部材の鳥観図である。
【００２６】
図8は、床盤接続板の鳥観図である。
【００２７】
図9は、図1と図4のB部の拡大図である。
【００２８】
図10は、図1と図4のA部の拡大図である。
【００２９】
図11は、図1のC部の拡大図である。
【００３０】
図12は、図4のD部の拡大図である。
【００３１】
以上、図面について説明したが、本発明は、従来のFRPやステンレス鋼板で造る、上水道用の大型貯水槽の欠点が改善できるとともに高度な技能も必要としない、上水道用の大型貯水槽の低価格化と車庫が造れる全ての住宅に、インフラ停止時でも水が使える大容量の雨水貯水槽が設置できる、下部に空間を設けたコンクリート貯水槽を提供するものである。
【００３２】
また、本発明で使用する板材やセパ材は我が国の木材を使用することから、全国市町村の疲弊する山村林業の活性化に貢献ができる。
【００３３】
梯子状の壁用成型部材3の凡例
板面中央に蟻溝を設け、両側面に凹溝を設けた二枚の30ｍｍ×120ｍｍ×3,000ｍｍの成型用板材1を両端に蟻ホゾ加工した30ｍｍ×60ｍｍ×90ｍｍの壁用板セパ2を500ｍｍ間隔に固定して成る図6に示す梯子状の壁用成型部材3。
【００３４】
梯子状の床盤用成型部材5の凡例
板面中央に蟻溝を設け、両側面に凹溝を設けた二枚の30ｍｍ×120ｍｍ×3,000ｍｍの成型用板材1を両端に蟻ホゾ加工した30ｍｍ×120ｍｍ×90ｍｍの床盤用板セパ2を500ｍｍ間隔に固定して成る図7に示す梯子状の床盤用成型部材3。
【００３５】
床盤接続部材7の凡例
板面中央に蟻溝を設け、両側面に凸部を設けた図8に示す30ｍｍ×120ｍｍ×3,000ｍｍの床盤接続部材7。
【実施例１】
【００３６】
「下部に空間を設けたコンクリートの貯水槽の実施例」
下部に空間を設けたコンクリートの貯水槽であって、梯子状の壁用成型部材3と梯子状の床盤用成型部材5を用いて、床付け地盤6の上に、梯子状の床盤用成型部材5と床盤接続板材7を、交互に並置してビス8を用いて連結固定して成る床盤躯体9で基礎を成し、その上に壁用成型部材3を組積して、梯子状の床盤用成型部材5を連結固定して貯水槽10の底盤を成し、壁用成型部材3と床盤躯体9で下部に空間を設けた貯水槽躯体11を形成して、コンクリート12を連続打設して成る、下部に空間を設けたコンクリートの貯水槽。
【実施例２】
【００３７】
「屋上の床盤下に貯水槽を設けたコンクリートの車庫の実施例」
屋上の床盤下に貯水槽を設けたコンクリートの車庫であって、梯子状の壁用成型部材3と梯子状の床盤用成型部材5を用いて、床付け地盤6の上に、梯子状の床盤用成型部材5と床盤接続板材7を、交互に並置してビス8を用いて連結固定して成る床盤躯体9で車庫Aの基礎を成し、その上に壁用成型部材3を組積して、梯子状の床盤用成型部材5を連結固定して貯水槽10の底盤を成し、壁用成型部材3と床盤躯体9で、車庫の屋上床盤下に貯水槽10を設けた車庫躯体14を形成して、コンクリート12を連続打設して成る、屋上の床盤下に貯水槽を設けたコンクリートの車庫。
【００３８】
なお、この発明において、実施例や図面に示した寸法や各部材は、一例を示したものであり、同様の機能を果たす公知の他の寸法部材に置き換えることは可能である。例えば、成型用板材の板厚やセパ板の寸法は強度によって自由に設定できる。また、梯子状に固定した成型部材の大きさも自由に設定ができる。さらに、木材に代わる材料など強度が得られるものであれば発明を支障なく実施することができる。
【産業上の利用可能性】
【００３９】
伐採適齢期を迎えている戦後に植栽された杉や檜の植樹林は、外国産木材によって間伐放棄・森林放棄されて、国産木材の価値は下がり利用されていないのが現状である。しかしながら、国土の63％を占めている森林の木材は植栽と植樹を繰り返すことで、尽きることのない我が国の大切な資源であり、国産木材を消費拡大することは行政の重要課題であるとともに、地方創成の要であることは周知の通りである。
本発明の下部に空間を設けたコンクリート貯水槽、並びに、屋上の床盤下に貯水槽を設けたコンクリート車庫の成型用板材は国産木材を主材としたもので、これらが普及することによって、疲弊する山村林業の活性化に貢献できる。さらに、下部に空間を設けたコンクリート貯水槽の本発明によって、低層ビルから高層ビルに使用する、上水道の貯水槽や高架貯水槽が低価格で低価格で造れることは、建設業界に大きく貢献できる。
他方、車庫が造れる全ての住宅が、屋上の床盤下に貯水槽を設けたコンクリート車庫にすることで、車庫の屋上が多目的に使える効果や車庫の普及によって、洪水の抑制や雨水の有効活用に繋がる効果など我が国の防災化にも大きく貢献できる。
【図面の簡単な説明】
【００４０】
【図１】本発明に係る下部に空間を設けたコンクリート貯水槽の断面図。
【図２】コンクリート貯水槽の下部平面図。
【図３】コンクリート貯水槽の上部平面図。
【図４】屋上の床盤下に貯水槽を設けたコンクリート車庫の断面図。
【図５】屋上の床盤下に貯水槽を設けたコンクリート車庫の平面図。
【図６】格子状の壁用成型部材の鳥観図。
【図７】格子状の床盤用成型部材の鳥観図。
【図８】床盤接続板の鳥観図。
【図９】図1と図4のB部の拡大図。
【図１０】図1と図4のA部の拡大図。
【図１１】図1のC部の拡大図。
【図１２】図4のD部の拡大図である。
【符号の説明】
【００４１】
1.   成型用板材
2.   壁用板セパ
3.   梯子状の壁用成型部材
4.   床盤用板セパ
5.   梯子状の床盤用成型部材
6.   床付け地盤
7.   床盤接続板材
8.   ビス
9.   床盤躯体
10.  貯水槽
11.  下部に空間を設けた貯水槽躯体
12.  コンクリート
13.  コンクリートの貯水槽
14.  車庫躯体
15.  雨水集水ドレン付き点検マンホール
16.  給水口
17.  コンクリート鏝押え
18.  笠木
19.  屋上仕上げ材
20.  壁躯体
21.  タラップ
22.  点検マンホール
23.  下部空間
A、車庫
【要約】
【課題】本発明は、コンクリートの貯水槽が最良且つ低価格で容易に造れる、下部に空間を設けたコンクリート貯水槽を提供する。
【解決手段】
下部に空間を設けたコンクリートの貯水槽であって、2枚の成型用板材1を複数の壁用板セパ2で梯子状に組固定した、梯子状の壁用成型部材3と2枚の成型用板材1を複数の床盤用板セパ4で、梯子状に組固定した梯子状の床盤用成型部材5を用いて、床付け地盤6の上に、梯子状の床盤用成型部材5と床盤接続板材7を、交互に並置してビス8を用いて連結固定して成る床盤躯体9で基礎を成し、その上に壁用成型部材3を組積して、梯子状の床盤用成型部材5を連結固定して貯水槽10の底盤を成し、壁用成型部材3と床盤躯体9で下部に空間を設けた貯水槽躯体11を形成して、コンクリート12を連続打設して、コンクリートの貯水槽13を造ることを特徴とする下部に空間を設けたコンクリート貯水槽。
【選択図】  図1【図１】
0006877673.tif 000002
【図２】
0006877673.tif 000003
【図３】
0006877673.tif 000004
【図４】
0006877673.tif 000005
【図５】
0006877673.tif 000006
【図６】
0006877673.tif 000007
【図７】
0006877673.tif 000008
【図８】
0006877673.tif 000009
【図９】
0006877673.tif 000010
【図１０】
0006877673.tif 000011
【図１１】
0006877673.tif 000012
【図１２】
0006877673.tif 000013
【図１３】
0006877673.tif 000014
【図１４】
0006877673.tif 000015